(57)【要約】【課題】  本発明の課題は、物品の凹凸面と平滑面に跨って貼着された粘着ラベルが、流通過程で脱落することを防止することである。【解決手段】  本発明のラベル付き物品１は、凹凸面７２と前記凹凸面７２に連続した平滑面７１とを有する物品７と、粘着剤層４が設けられた粘着ラベル２と、を備え、前記粘着ラベル２が、その粘着剤層４を介して前記物品７の凹凸面７２と平滑面７１に跨って貼着されており、前記凹凸面７２と平滑面７１の境界線Ｙ又はその境界線Ｙの近傍に対応する前記粘着ラベル２の縁部に、ラベルの面内方向に向かって延びる切込み部５が形成されている。【選択図】  図７
2012192961.tif 000002
【特許請求の範囲】
【請求項１】
凹凸面と前記凹凸面に連続した平滑面とを有する物品と、粘着剤層が設けられた粘着ラベルと、を備え、
前記粘着ラベルが、その粘着剤層を介して前記物品の凹凸面と平滑面に跨って貼着されており、
前記凹凸面と平滑面の境界線又はその境界線の近傍に対応する前記粘着ラベルの縁部には、ラベルの面内方向に向かって延びる切込み部が形成されていることを特徴とするラベル付き物品。
【請求項２】
前記切込み部の始端部が境界線又はその境界線の近傍に対応し、前記切込み部が、前記境界線と平行な方向に延びている、又は、前記境界線に対して傾斜して平滑面側に延びている、請求項１に記載のラベル付き物品。
【請求項３】
前記切込み部が、所定幅を有する切込みからなり、前記切込み部の先端部が弧状に形成されている、請求項１又は２に記載のラベル付き物品。
【請求項４】
前記凹凸面に貼着されている前記粘着ラベルの第２領域の厚みが前記平滑面に貼着されている前記粘着ラベルの第１領域の厚みよりも薄い、請求項１乃至３の何れか一項に記載のラベル付き物品。
【発明の詳細な説明】
【技術分野】
【０００１】
本発明は、物品の表面に粘着ラベルが貼着されたラベル付き物品に関する。
【背景技術】
【０００２】
従来、物品の表面にラベルが貼着されたラベル付き物品が広く流通している。
このラベルは、物品に対して剥がれないように、水系接着剤や感熱性接着剤などの接着剤を介して物品に貼り付けられている場合もあれば、物品から剥離可能なように、粘着剤を介して貼り付けられている場合もある。
粘着剤を介して貼り付けられるラベルは、一般的に粘着ラベル又はタックラベルと呼ばれており、様々な目的で使用されている。
目的別による粘着ラベルとしては、例えば、物品の製造年月日や商品名などの表示するための汎用的な粘着ラベル、賞品応募券などとして利用するためのキャンペーンラベル（特許文献１）、及び、消費者の目に止まりやすく且つ広告宣伝効果を高めるためのＰＯＰラベル（アイキャッチラベルとも呼ばれる）などが知られている。
【０００３】
ところで、近年、物品として、クリスタルカット模様などの凹凸面が形成された容器（例えば、ダイヤモンドカット状の凹凸面が表面に形成された焼酎入りアルミニウム缶など）が多数流通している。
このような容器の表面には、通常、凹凸面に連続して平滑面が形成されているが、凹凸面が大面積を占めている。
かかる容器の凹凸面に粘着ラベルを貼着すると、凹凸面の凹部に粘着ラベルの粘着剤層が接触しないので、流通過程で、粘着ラベルが簡単に剥がれて容器から脱落するという問題点がある。一方、容器の平滑面に粘着ラベルを貼着すれば、前述のような粘着ラベルの剥がれは生じない。
しかしながら、平滑面の占有面積が小さい容器に対しては、ラベルの貼着位置や制限されたスペースの関係上、粘着ラベルの全体を平滑面に貼着できない場合がある。
【０００４】
このような場合、粘着ラベルは、凹凸面と平滑面に跨って貼着される。
しかしながら、凹凸面と平滑面に跨って粘着ラベルを貼着すると、流通過程で、凹凸面に貼着された粘着ラベルの領域が凹凸面から剥がれ、それに追従して、平滑面に貼着された粘着ラベルの領域がその縁から次第に平滑面から剥がれていき、最終的に粘着ラベルが脱落するという問題点がある。
【先行技術文献】
【特許文献】
【０００５】
【特許文献１】特開２００２−２６８５５７号公報
【発明の概要】
【発明が解決しようとする課題】
【０００６】
本発明の目的は、物品の凹凸面と平滑面に跨って貼着された粘着ラベルが脱落し難いラベル付き物品を提供することである。
【課題を解決するための手段】
【０００７】
本発明のラベル付き物品は、凹凸面と前記凹凸面に連続した平滑面とを有する物品と、粘着剤層が設けられた粘着ラベルと、を備え、前記粘着ラベルが、その粘着剤層を介して前記物品の凹凸面と平滑面に跨って貼着されており、前記凹凸面と平滑面の境界線又はその境界線の近傍に対応する前記粘着ラベルの縁部には、ラベルの面内方向に向かって延びる切込み部が形成されている。
【０００８】
一般に、ラベル付き物品の流通過程で、凹凸面に貼着された粘着ラベルの領域は、密着面積が小さいので、凹凸面から剥がれ易い。
上記本発明のラベル付き物品は、凹凸面と平滑面の境界線又はその境界線の近傍に対応する粘着ラベルの縁部に、切込み部が形成されている。
本発明のラベル付き物品において、その凹凸面に貼着された粘着ラベルの領域が凹凸面から剥がれるときの剥離力は、平滑面に貼着された粘着ラベルの領域にも伝搬するが、両領域の間には上記切込み部が形成されているので、その剥離力は切込み部の先端部に作用する。よって、前記剥離力が、平滑面に貼着された粘着ラベルの領域の縁部に作用せず、平滑面に貼着された粘着ラベルの領域が剥がれることを防止できる。
このため、仮に凹凸面に貼着された粘着ラベルの領域が物品から剥がれたとしても、粘着ラベルの全体まで剥がれることがなく、よって、粘着ラベルの脱落を防止できる。
【０００９】
本発明の好ましいラベル付き物品は、前記切込み部の始端部が境界線又はその境界線の近傍に対応し、前記切込み部が、前記境界線と平行な方向に延びている、又は、前記境界線に対して傾斜して平滑面側に延びている。
本発明の他の好ましいラベル付き物品は、前記切込み部が、所定幅を有する切込みからなり、前記切込み部の先端部が弧状に形成されている。
本発明の他の好ましいラベル付き物品は、前記凹凸面に貼着されている前記粘着ラベルの第２領域の厚みが前記平滑面に貼着されている前記粘着ラベルの第１領域の厚みよりも薄い。
【発明の効果】
【００１０】
本発明のラベル付き物品は、物品の凹凸面と平滑面に跨って貼着された粘着ラベルが脱落することを防止できる。
本発明によれば、様々な形状の凹凸面を有する物品に、脱落しないように粘着ラベルを貼着できる。
【図面の簡単な説明】
【００１１】
【図１】本発明の１つの実施形態に係る粘着ラベルの平面図。
【図２】図１のＩＩ−ＩＩ線断面図。
【図３】図１のＩＩＩ−ＩＩＩ線断面図。
【図４】ダイヤモンドカット状の凹凸面が表面に形成されたアルミニウム缶の正面図。
【図５】図４の二点鎖線で囲んだＶ部の拡大図。
【図６】図５のＶＩ−ＶＩ線断面図。
【図７】本発明の１つの実施形態に係るラベル付き物品の正面図。ただし、物品の凹凸面の凸部を示すための実線は、その一部を省略している。
【図８】図７のＶＩＩＩ−ＶＩＩＩ線の拡大断面図。
【図９】本発明の他の実施形態に係る粘着ラベルの平面図。
【図１０】本発明のさらなる他の実施形態に係る粘着ラベルの平面図。
【図１１】図１０の粘着ラベルが貼着されたラベル付き物品の正面図。ただし、物品の凹凸面の凸部を示すための実線は、その一部を省略している。
【図１２】本発明の他の実施形態に係るラベル付き物品の正面図。ただし、物品の凹凸面の凸部を示すための実線は、その一部を省略している。
【図１３】本発明のさらなる他の実施形態に係るラベル付き物品の正面図。ただし、物品の凹凸面の凹部を示すための実線は、省略している。
【図１４】図１３のＸＩＶ−ＸＩＶ線の拡大断面図。
【発明を実施するための形態】
【００１２】
本発明のラベル付き物品は、凹凸面と凹凸面に連続した平滑面とを有する物品と、物品の凹凸面と平滑面に跨って貼着された粘着ラベルと、を備え、凹凸面と平滑面の境界線又はその境界線の近傍に対応する粘着ラベルの縁部に切込み部が形成されている。
以下、本発明の実施形態について図面を参照しながら説明する。
なお、「ＡＡＡ〜ＢＢＢ」という記載は、「ＡＡＡ以上ＢＢＢ以下」を意味する。
【００１３】
［粘着ラベル］
図１乃至図３は、本発明のラベル付き物品に用いられる粘着ラベル２を示す。
この粘着ラベル２は、ラベル基材３と、前記ラベル基材３の裏面に設けられた粘着剤層４と、を有する。
【００１４】
この粘着ラベル２（ラベル基材３でも実質的に同じ）の縁部２ａ，２ｂには、粘着ラベル２の脱落を防止するために、切込み部５が形成されている。この切込み部５は、粘着ラベル２の対向する２つの縁部２ａ，２ｂ（以下、第１縁部２ａ及び第２縁部２ｂという）にそれぞれ１箇所設けられている。
【００１５】
前記２つの切込み部５の始端部５ａを結んだ仮想線Ｘを基準にして粘着ラベル２を２つの領域に分けると、その一方の領域２１（第１領域）は、物品の平滑面に貼着される部分となり、その他方の領域２２（第２領域）は、物品の凹凸面に貼着される部分となる。この第２領域２２の厚みは、第１領域２１の厚みよりも薄くされている。
なお、図１に、仮想線Ｘを一点鎖線で示している。
【００１６】
粘着ラベル２の平面視形状は、特に限定されない。図示例では、粘着ラベル２は、平面視略矩形状に形成されている。もっとも、粘着ラベル２の平面視形状は、略三角形状などの多角形状、略円形状、略楕円形状などでもよい。
粘着ラベル２の大きさは特に限定されず、適宜設計できる。例えば、平面視略矩形状の粘着ラベル２の大きさは、縦×横が１０ｍｍ〜４０ｍｍ×１０ｍｍ〜４０ｍｍ程度である。矩形状以外の平面視形状の粘着ラベル２の大きさは、例えば、前記矩形状の面積と同程度の面積に形成される。
【００１７】
本実施形態におけるラベル基材３は、前記第１領域２１を第２領域２２よりも厚肉状とするために、少なくとも第１領域２１が複数の基材から構成されている。なお、第２領域２２も複数の基材から構成される場合には、第１領域２１の基材数を第２領域２２の基材数よりも多くすればよい。
図示例のラベル基材３は、第１領域２１が２層の基材３１，３２から構成され、且つ、第２領域２２が１層の基材３２から構成されている。以下、２層の基材を区別するために、第１基材３１及び第２基材３２と記す。
【００１８】
第１基材３１は、物品の平滑面に貼着される部分である前記第１領域２１と略同じ又はそれよりも小さな形状に形成されており、２つの切込み部５を結んだ仮想線Ｘを基準にして第２基材３２の一方の領域２１の上に積層されている。
従って、粘着ラベル２の第１領域２１のラベル基材は、第１基材３１及び第２基材３２からなり、粘着ラベル２の第２領域２２のラベル基材は、第２基材３２のみからなる。
【００１９】
第１基材３１及び第２基材３２は、ラベルとしての機械的強度を有する柔軟なシートであれば特に限定されず、公知のものを用いることができる。
第１基材３１及び第２基材３２としては、例えば、紙、不織布、合成紙、合成樹脂製フィルムなどが挙げられる。第１基材３１及び第２基材３２は、それぞれ単一のシートでもよいし、剥がれないように２つ以上のシートが一体的に接着された積層体でもよい。第１基材３１及び第２基材３２が積層体である場合には、紙、不織布、合成紙、合成樹脂製フィルム及びこれら以外の機能シートから選ばれる２つ以上が積層された積層体を用いることができる。
特に、機械的強度に優れ且つ柔軟性があることから、合成紙若しくは合成樹脂製フィルムの単層又は合成紙若しくは合成樹脂製フィルムを含む積層体が好ましい。
【００２０】
合成紙としては、例えば、（株）ユポ・コーポレーションの商品名「ユポ」、東洋紡績（株）の商品名「クリスパー」などを用いることができる。
合成樹脂製フィルムとしては、例えば、ポリエチレンテレフタレートなどのエステル系樹脂、ポリプロピレンなどのオレフィン系樹脂、スチレン−ブタジエン共重合体などのスチレン系樹脂、環状オレフィン系樹脂、塩化ビニル系樹脂などの熱可塑性樹脂を含む延伸フィルムなどを用いることができ、中でも機械的強度に優れることから、これらの二軸延伸フィルムを用いることが好ましい。
【００２１】
第１基材３１及び第２基材３２は、透明なシートでもよいし、不透明なシートでもよい。もっとも、第２基材３２に施されたデザイン及び第１基材３１の裏面に施されたデザインをそれぞれ隠蔽できることから、第１基材３１は、不透明なシートが好ましい。具体的には、第１基材３１は、合成紙などの不透明なシートが用いられる。
【００２２】
第１基材３１及び第２基材３２の厚みは、特に限定されないが、一般的には、それぞれ３０μｍ〜１００μｍである。
【００２３】
第１基材３１及び第２基材３２には、必要に応じて、所望のデザインが印刷されていてもよい。なお、デザインの印刷層は図示していない。
第１基材３１にデザインが施される場合には、第１基材３１の裏面又は表面の少なくとも何れか一方に印刷が施され、好ましくは、第１基材３１の表面及び裏面の双方に印刷が施される。第１基材３１の表裏面の双方に印刷が施されていれば、第１基材３１が第２基材３２に貼着された状態において、第１基材３１の表面に施されたデザインを消費者に見せることができ、第１基材３１が第２基材３２から引き剥がされた後には、第１基材３１の裏面に施されたデザインを消費者に見せることができる。従って、第１基材３１の裏面に賞品応募情報や籤情報などを印刷しておくことにより、第１基材３１をキャンペーンラベルとして利用できる。
【００２４】
一方、第２基材３２にデザインが施される場合には、第２基材３２の表面に印刷が施される。第２基材３２が透明である場合には、第２基材３２の裏面に印刷してもよい。
【００２５】
粘着ラベル２の第１縁部２ａ及び第２縁部２ｂには、それぞれ切込み部５，５が設けられている。本実施形態の場合には、前記切込み部５は第２基材３２に形成されている。
この各切込み部５を形成することにより、第１領域２１の第１縁部２ａ側及び第２縁部２ｂ側には、それぞれコーナー部２１１，２１１が形成されている。
【００２６】
各切込み部５，５は、粘着ラベル２（第２基材３２）の面内方向に向かって延びている。具体的には、各切込み部５，５は、それぞれ第１縁部２ａ及び第２縁部２ｂに位置する始端部５ａと、粘着ラベル２の面内に位置する先端部５ｂと、を有し、始端部５ａと先端部５ｂの間が連続して切り込まれている。始端部５ａと先端部５ｂの間は、直線状に切り込むことが好ましいが、弧状などに切り込まれていてもよい。
【００２７】
各切込み部５，５は、第１縁部２ａ及び第２縁部２ｂの延びる方向に対して略直交する方向に延びている。また、各切込み部５，５は、同じ方向に延びている。一方の切込み部５からその延びる方向に仮想線Ｘを引いたときに他方の切込み部５に重なるように、各切込み部５，５は形成されている。
【００２８】
各切込み部５，５は、線状の切込みでもよいし、所定幅を有する切込み（打ち抜き状の切込み）でもよい。所定幅を有する切込みは、実質的に幅のない前記線状の切込みとは異なっており、非線状の切込みとも言える。
好ましくは、図示したように、各切込み部５，５は、所定幅を有する切込みからなり、その切込みの先端部５ｂが半円弧状に形成されている。
【００２９】
所定幅を有する切込みからなる切込み部５の幅Ｗは、特に限定されないが、その幅Ｗが余りに小さいと、その切込みが線状の切込みと実質的に異ならなくなり、その幅Ｗが余りに大きいと、相対的に粘着ラベル２の面積が小さくなる。このような点から、前記切込み部５の幅Ｗは、１ｍｍ〜５ｍｍが好ましく、１ｍｍ〜３ｍｍがより好ましい。
また、切込み部５の延出長さＬも特に限定されないが、その長さＬが余りに小さいと、粘着ラベル２の剥がれを防止効果を十分に奏しないおそれがあり、その長さＬが余りに大きいと、粘着ラベル２の外観を損ねる上、粘着ラベル２を物品に貼着するときに取り扱い難くなる。このような点から、切込み部５の延出長さＬは、２ｍｍ〜１０ｍｍが好ましく、３ｍｍ〜８ｍｍがより好ましい。
【００３０】
前記第２基材３２の裏面には、粘着剤層４がベタ状に設けられている。
粘着剤層４は、物品の表面に接着する剤であり、接着後に物品から剥離することができ且つ剥離後再貼付可能なものでもよいし、或いは、物品から剥離した後再貼付不可能なものでもよい。
【００３１】
粘着剤層４は、第２基材３２の裏面に粘着剤をベタ状に塗布することによって形成できる。
粘着剤としては、例えば、アクリル系、ゴム系などの感圧型粘着剤を用いることができる。感圧型粘着剤は、室温で粘着性を有し、加圧することによって物品に接着する粘着剤であって、物品から剥離後再貼付可能なものである。
【００３２】
なお、前記粘着剤として、感熱性粘着剤を用いることも可能である。感熱性粘着剤は、室温下で粘着性を示さず、且つ加熱することによって粘着性を発揮する粘着剤である。粘着剤層４が感圧型粘着剤からなる場合には、粘着ラベル２は、離型紙上に仮貼着されて提供されるが、粘着剤層４が感熱性粘着剤からなる場合には、粘着ラベル２は、離型紙の上に仮貼着せずに提供される。
また、粘着剤は、透明又は不透明の何れでもよいが、透明なものを用いることが好ましい。
粘着剤層４の厚みは、特に限定されず、通常、１５μｍ〜３０μｍである。
【００３３】
さらに、第１基材３１の裏面には、粘着剤層６が設けられている。この粘着剤層６は、前記粘着剤層４と同様な粘着剤を用いて形成できる。
第１基材３１は、粘着剤層６を介して第２基材３２に付着されている。第１基材３２は、粘着剤層６を伴って第２基材から剥離できる。必要に応じて、粘着剤層６と共に第１基材３１を第２基材３２から容易に剥離できるようにするため、第１基材３１の表面に公知の剥離剤が塗布されている。
【００３４】
なお、前記粘着剤層６に代えて、第１基材３１の裏面に、第１基材３１を第２基材３２に弱く付着させるための、弱接着層を設けてもよい。この弱接着層は、前記粘着剤層４よりも接着力が小さい。第１基材３１を弱接着層を介して第２基材３２に付着することにより、第１基材３１を第２基材３２から容易に引き剥がすことができる。弱接着層は、例えば、第１基材３１の裏面に、シリコーン樹脂などの離型剤を含むホットメルト粘着剤を塗布することにより形成できる。また、弱接着層は、例えば、第１基材３１の裏面に粘着剤を塗布し、その粘着剤の上から粘着力を弱めるためのマスキング剤を塗布することにより形成することもできる。
【００３５】
［物品］
図４乃至図６は、本発明のラベル付き物品に用いられる物品７を示す。
物品７の表面には、平滑面７１と凹凸面７２が連続して形成されている。
凹凸面７２は、物品の表面の所定の面積を占めており、凹凸面７２は、平滑面７１よりも外側に突出した凸部７２１と、凸部７２１よりも容器の内側（中心軸方向）に凹んだ凹部７２２と、を有する。例えば、前記物品７が金属缶である場合、前記凹凸面７２は、缶周面の凸部７２１の形成予定部分を内側から外側に押し出すことにより形成できる。
【００３６】
図示例の凹凸面７２は、所定の凸部７２１と凹部７２２を１つの単位としてその１単位が複数規則的に形成されている。もっとも、凹凸面７２は、異なる凸部７２１と凹部７２２からなる複数の単位から形成されていてもよい。
【００３７】
凹凸面７２における凸部７２１の表面の占める割合（次式参照）は、０％を越え７０％以下であり、好ましくは１％〜６０％であり、より好ましくは２％〜５０％である。前記割合の下限を「０％を越え」としたのは、頂点部が極めて小さい点状である凸部７２１を形成することも可能であり、このような点状の凸部７２１の表面の占める割合は、凹凸面７２全体からすると、限りなく０％に近づく場合があるからである。
凹凸面７２における凸部７２１の表面の占める割合（％）＝（貼着された粘着ラベル２が被さる凹凸面７２における凸部７２１の表面積の和／同凹凸面７２の面積）×１００。
【００３８】
一方、平滑面７１は、平滑な面であれば特に限定されず、２次元的な平面でもよいし、湾曲した面でもよい。
前記平滑面７１は、粘着ラベル２の第１領域２１の全体が粘着剤層４を介して密着するような面であることが好ましい。もっとも、実際の物品７においては、殆どが平滑であるけども一部に粘着ラベル２の裏面が付着しない凹みが存在するような面も存在し、そのような面に粘着ラベル２を貼着しても、流通過程で、粘着ラベル２が剥離するという問題は現実的には生じない。
このため、本発明における平滑面７１には、一部に前記凹みを有していてもよい。
【００３９】
その平滑面７１における前記凹みの占める割合（次式参照）は、１０％以下であり、好ましくは５％以下である。
平滑面７１における凹みの占める割合（％）＝（貼着された粘着ラベル２が被さる平滑面７１における凹み部分の占める面積の和／同平滑面７１の面積）×１００。
【００４０】
本実施形態では、物品７として、飲料入りの容器を例示している。
この容器は、例えば、略円筒状に形成されたアルミニウム缶であり、その表面に凹凸面７２と平滑面７１が形成されている。
【００４１】
凹部７２２は、凸部７２１よりも凹んでおり、凹部７２２の最深部は、平滑面７１のレベルよりも内側、このレベルと同じ、又は、このレベルよりも外側の何れでもよい。この凹部７２２は、ダイヤモンドカット状に内側に凹んでいる（正四角錐状の凹み）。かかるダイヤカット状の凹部７２２に対して、凸部７２１は、正面から見て略矩形線状（正方形状など）である。
図示したような、円筒状の容器の平滑面７１は、全体が平滑で且つ湾曲した面である。
【００４２】
［ラベル付き物品］
図７及び図８は、本発明のラベル付き物品１を示す。
このラベル付き物品１は、上記粘着ラベル２が粘着剤層４を介して上記物品７の凹凸面７２と平滑面７１に跨って貼着されている。
この粘着ラベル２は、その切込み部５の始端部５ａが物品７の凹凸面７２と平滑面７１の境界線Ｙ又はその境界線Ｙの近傍に対応するように位置合わせして、物品７に貼着されている。
なお、図７に、境界線Ｙを一点鎖線で示し、図８（及び図６）に、境界線Ｙの位置を矢印で示している。
【００４３】
ここで、凹凸面７２と平滑面７１の境界線Ｙは、観念的な仮想線である。本実施形態にあっては、その境界線Ｙは、平滑面７１に隣接する複数の凹部７２２の端部を結んだ仮想直線である。
本実施形態では、凹凸面７２と平滑面７１の境界線Ｙ上に粘着ラベル２の切込み部５が対応するようにして、粘着ラベル２が貼着されている。従って、粘着ラベル２の第１領域２１（コーナー部２１１，２１１を含む）が、平滑面７１に貼着され、粘着ラベル２の第２領域２２が、凹凸面７２に貼着されている。
【００４４】
また、本実施形態の粘着ラベル２においては、各切込み部５，５は、仮想線Ｘ上に重なるように形成されているので、かかる粘着ラベル２を上記のようにして物品７に貼着したときには、各切込み部５，５は、境界線Ｙと平行な方向に延びている。
【００４５】
凹凸面７２に於いては、凸部７２１と粘着ラベル２の粘着剤層４が密着するため、粘着ラベル２の第２領域２２の凹凸面７２に対する密着面積割合（次式参照）は、上記凹凸面７２における凸部７２１の表面の占める割合にほぼ対応している。もっとも、粘着ラベル２は柔軟であるため、凸部７２１の表面からその周囲にかけて粘着ラベル２が密着する場合もある。このような理由から、粘着ラベル２の第２領域２２の凹凸面７２に対する密着面積割合（次式参照）は、０％を越え約７５％以下であり、好ましくは約１％〜約６５％であり、より好ましくは約２％〜約５５％である。
粘着ラベル２の第２領域２２の凹凸面７２に対する密着面積割合（％）＝（凸部７２１の表面積の和／粘着ラベル２のうち凹凸面７２に被さっている面積）×１００。
【００４６】
一方、平滑面７１に於いては、粘着ラベル２の粘着剤層４が密着する。もっとも、一部に凹みを有する平滑面７１にあっては、粘着ラベル２の第１領域２１の平滑面７１に対する密着面積割合は、上記平滑面７１における凹みの占める割合に対応しており、９０％以上であり、好ましくは９５％以上である。
【００４７】
上記ラベル付き物品１は、物品７の凹凸面７２と平滑面７１に跨って粘着ラベル２が貼着されており、その凹凸面７２と平滑面７１の境界線Ｙ又はその境界線Ｙの近傍に対応する粘着ラベル２の縁部に、切込み部５が形成されている。
ラベル付き物品１の流通過程で、凹凸面７２に貼着された粘着ラベル２の第２領域２２は、密着面積が小さいので、凹凸面７２から剥がれ易い。そして、この第２領域２２が剥がれるときの剥離力は、第２領域２２と一体的に繋がっている第１領域２１にも伝搬するが、両者の間には切込み部５が存在するので、前記剥離力は、切込み部５の先端部５ｂに作用する。よって、前記剥離力が第１領域２１のコーナー部２１１に作用し難く、第１領域２１が第２領域２２に追従して剥がれることを防止できる。
【００４８】
つまり、粘着ラベル２の剥離は、粘着ラベル２の面内から生じることはなく、粘着ラベル２の縁部から生じるが、上記切込み部５を形成することによって、平滑面７１に貼着された第１領域２１の縁部（コーナー部２１１）に剥離力が作用し難くなる。このため、粘着ラベル２の第２領域２２が物品７から剥がれたとしても、物品７の平滑面７１に貼着された第１領域２１が剥離せず、よって、粘着ラベル２の脱落を防止できる。
【００４９】
また、前記切込み部５の先端部５ｂが半円弧状に形成されているので、その先端部５ｂから粘着ラベル２の面内方向に粘着ラベル２が裂けることを防止できる。
例えば、凹凸面７２から剥がれて浮き上がった第２領域２２が異物に引掛かったとしても、第１領域２１と第２領域２２を分離するような裂け目が粘着ラベル２に生じることを防止できる。
【００５０】
また、前記粘着ラベル２は第２領域２２の厚みが第１領域２１の厚みよりも薄いので（例えば、第２領域２２が１層の基材（第２基材３２）からなり、第１領域２１が２層の基材（第１基材３１及び第２基材３２）からなる）、第２領域２２の方が剛性が低くなっている。かかる剛性の低い第２領域２２によれば、湾曲状の凹凸面７２に沿って柔軟に曲がって凸部７２１の表面に密着するので、流通過程でラベル付き物品１に衝撃が加わっても、第２領域２２が凸部７２１から剥がれ難くなる。
【００５１】
［他の実施形態］
本発明のラベル付き物品は、上記実施形態に限られず、本発明の意図する範囲で様々な態様に変更できる。以下、本発明のラベル付き物品の他の実施形態を説明するが、上記実施形態と同様の構成及び効果についてはその説明を省略し、用語及び符号をそのまま援用する場合がある。
【００５２】
上記実施形態において、粘着ラベル２の切込み部５は、所定幅を有する切込みであってその先端部５ｂが弧状に形成されているが、切込み部５の先端部５ｂは、弧状に形成されている場合に限定されない。
また、上記実施形態において、粘着ラベル２の切込み部５は、所定幅を有する切込みを例示したが、切込み部５は、例えば、図９に示すような、線状の切込みでもよい。
【００５３】
また、上記実施形態において、２つの切込み部５，５は、第１縁部２ａ及び第２縁部２ｂの延びる方向に対して略直交する方向に延びているが、切込み部５は、ラベルの面内方向に向かって延びていることを条件としてこれに限定されない。例えば、切込み部５が、粘着ラベル２の縁部に対して傾斜する方向に延びていてもよい。この場合、切込み部５は、粘着ラベル２の縁部に対して上向き傾斜して延びていてもよいし、或いは、下向き傾斜して延びていてもよい。粘着ラベル２の脱落を防止できることから、図１０に示すように、切込み部５は、粘着ラベル２の縁部に対して上向き傾斜する方向に延びて形成されていることが好ましい。なお、図１０の粘着ラベル２は、第１基材３１が積層されていない、又は、それが積層されていても不図示としている。
【００５４】
この図１０の粘着ラベル２は、その第１縁部２ａ及び第２縁部２ｂから、それに上向き傾斜して各切込み部５，５が形成されている。このように傾斜した切込み部５，５についても、第１縁部２ａにおける切込み部５の始端部５ａと、第２縁部２ｂにおける切込み部５の始端部５ａとは、第１縁部２ａと直交する仮想線Ｘの上に位置していることが好ましい。
【００５５】
かかる傾斜状の切込み部５，５を有する粘着ラベル２は、上記実施形態と同様に、その切込み部５の始端部５ａが物品７の凹凸面７２と平滑面７１の境界線Ｙ又はその境界線Ｙの近傍に対応するように位置合わせして、物品７に貼着される。
このように粘着ラベル２が物品７に貼着されたラベル付き物品１は、図１１に示すように、切込み部５の始端部５ａが境界線Ｙ又はその境界線Ｙの近傍に対応し、その切込み部５が、前記境界線Ｙに対して傾斜して物品７の平滑面７１側に延びている。
【００５６】
なお、図１１では、切込み部５の始端部５ａが境界線Ｙ上に対応するように、粘着ラベル２が貼着されたラベル付き物品１を図示している。この場合、切込み部５の先端部５ｂは、平滑面７１に重なる。
このように物品７に貼着された粘着ラベル２の切込み部５が境界線Ｙに対して平滑面７１側に延びていると、剥離力が第１領域２１のコーナー部２１１に作用し難く、粘着ラベル２の脱落を防止できる。
【００５７】
また、上記実施形態において、凹凸面７２と平滑面７１の境界線Ｙ上に切込み部５の始端部５ａが対応するように粘着ラベル２が貼着されたラベル付き物品１を例示したが、上述のように、凹凸面７２と平滑面７１の境界線Ｙの近傍に切込み部５の始端部５ａが対応するようにして、粘着ラベル２が貼着されていてもよい。
【００５８】
この場合、切込み部５が前記境界線Ｙの近傍であって平滑面７１側に位置するように粘着ラベル２が貼着される場合、及び、切込み部５が前記境界線Ｙの近傍であって凹凸面７２側に位置するように粘着ラベル２が貼着される場合の２つのパターンがある。好ましくは、図１２に示すように、切込み部５が境界線Ｙの近傍であって平滑面７１側に位置するように粘着ラベル２が物品７に貼着される。なお、図１２に、境界線Ｙを一点鎖線で示している。
【００５９】
切込み部５の始端部５ａが境界線Ｙの近傍であって凹凸面７２側に位置するように粘着ラベル２が貼着されていると、粘着ラベル２の第１領域２１のコーナー部２１１，２１１が凹凸面７２に被さるので、粘着ラベル２の第２領域２２が剥がれたときに、第１領域２１のコーナー部２１１，２１１もそれに追従して物品７の表面から剥がれ、第１領域２１の貼着が不安定になるおそれがあるからである。
なお、境界線Ｙの近傍は、例えば、切込み部５の始端部５ａと境界線Ｙの間が３ｍｍ以下となる位置、好ましくは２ｍｍ以下となる位置を例示できる。
【００６０】
さらに、上記実施形態においては、平滑面７１よりも外側に突出した凸部７２１を有する凹凸面７２の物品７に粘着ラベル２を貼着しているが、これに限定されない。
例えば、図１３及び図１４に示す物品７は、平滑面７１と、平滑面７１と同じ高さ（レベル）にある凸部７２１と凸部７２１よりも容器の内側（中心軸方向）に凹んだ凹部７２２とを有する凹凸面７２と、を有する。例えば、前記物品７が金属缶である場合、前記凹凸面７２は、缶周面の凹部７２２の形成予定部分を外側から内側に押し込むことにより形成できる。
【００６１】
この平滑面７１と凹凸面７２を有する物品７に、上記実施形態と同様にして、粘着ラベル２を貼着しても、本発明のラベル付き物品１が得られる。
【００６２】
上記実施形態において、粘着ラベル２は、第１基材３１と第２基材３２を有し、第１基材３１が第２基材３２の一方の領域（粘着ラベル２の第１領域２１）の上に剥離可能に積層されているラベル基材３が用いられているが、これに限定されず、第１基材３１が第２基材３２と略同形に形成され且つ第２基材３２の表面全体に剥離可能に積層されていてもよい。
【００６３】
さらに、本発明で用いられる粘着ラベル２は、上記実施形態のように、第２基材３２の上に第１基材３１が剥離可能に積層されたラベル基材３を用いる場合に限られず、１層のラベル基材３を用いて形成することもできる。
もっとも、上記実施形態のように、第１基材３１が第２基材３２に剥離可能に積層されたラベル基材３を用いて形成された粘着ラベル２は、第１基材３１をキャンペーンラベルとして利用できるので好ましい。
【００６４】
また、上記実施形態において、粘着ラベル２が貼着される物品７として、飲料入りのアルミニウム缶を例示したが、物品７は、平滑面７１と凹凸面７２が連続して形成されている限り、特に限定されない。
本発明において、物品７は、例えば、所謂ＰＥＴボトルなどの合成樹脂製成形容器、ガラス製容器、陶器製容器、金属製容器、紙製包装箱などの平滑面と凹凸面を有する各種容器でもよいし、或いは、玩具のような商品そのものでもよい。
特に、粘着ラベル２を貼着する平滑面７１及び凹凸面７２が、合成樹脂製、ガラス製、陶器製、金属製の物品７に対して本発明のような粘着ラベル２を貼着すると、本発明の効果をより顕著に奏する。
【符号の説明】
【００６５】
１…ラベル付き物品、２…粘着ラベル、２１…粘着ラベルの第１領域、２２…粘着ラベルの第２領域、２ａ…粘着ラベルの第１縁部、２ｂ…粘着ラベルの第２縁部、３…ラベル基材、３１…第１基材、３２…第２基材、４…粘着剤層、５…切込み部、５ａ…切込み部の始端部、５ｂ…切込み部の先端部、７…物品、７１…物品の平滑面、７２…物品の凹凸面、Ｙ…境界線
【図１】
2012192961.tif 000003
【図２】
2012192961.tif 000004
【図３】
2012192961.tif 000005
【図４】
2012192961.tif 000006
【図５】
2012192961.tif 000007
【図６】
2012192961.tif 000008
【図７】
2012192961.tif 000009
【図８】
2012192961.tif 000010
【図９】
2012192961.tif 000011
【図１０】
2012192961.tif 000012
【図１１】
2012192961.tif 000013
【図１２】
2012192961.tif 000014
【図１３】
2012192961.tif 000015
【図１４】
2012192961.tif 000016